(57)【要約】【課題】オーディオ装置において、ヘッドホン用の出力を用いて記録を行う際の利便性を向上させる。【解決手段】オーディオ装置において、所定の信号源１〜４から入力される音声信号を、音量調整手段８を介してスピーカ９に出力する出力回路と、音量調整手段及びスピーカ間において出力回路を断続する断続手段１０と、ヘッドホン１８を接続することができる出力端子１２と、出力端子に外部から接続がなされている第１の端子状態及び該接続がなされていない第２の端子状態を判別する端子状態判別手段１４と、出力端子への出力経路を音量調整手段及び断続手段間の出力回路部分から分岐した経路とする第１の出力モード、並びに該出力経路を音量調整手段及び信号源間の出力回路部分から分岐した経路とする第２の出力モードを択一的に切り換えるモード選択手段１３とを設ける。【選択図】図１
2007052819.tif 000002
【特許請求の範囲】
【請求項１】
所定の信号源から得られた音声信号を出力する音声信号出力手段と、
前記音声信号出力手段から出力された音声信号の音量を制御する音量調整手段と、
スピーカが接続される第１接続手段と、
ヘッドホン若しくは外部録音機器が接続される第２接続手段と、
前記音量調整手段からの音声信号出力を前記第１接続手段に供給し、又は切断するスイッチ手段と、
前記音声信号出力手段からの出力を前記音量調整手段を介して前記第２接続手段に供給する第１出力モードと、前記音声信号出力手段からの出力を前記音量調整手段を介さずに前記第２接続手段に供給する第２出力モードと、を選択的に切り換えるモード選択手段と、
前記第２接続手段に前記ヘッドホン若しくは外部録音機器が接続されていることを判別する状態判別手段と、
前記外部録音機器に録音するための音声信号出力を実行するよう指示する録音指示手段と、
前記録音指示手段で音声信号出力が指示されたとき、前記状態判別手段の判別結果に基づいて、前記モード選択手段が前記第２出力モードを選択し、前記スイッチ手段は前記音量調整手段からの音声信号出力を前記第１接続手段に供給する、ように制御する制御手段と、
を備えることを特徴とするオーディオ装置。
【請求項２】
前記制御手段は、
前記状態判別手段が、前記第２接続手段に前記ヘッドホン若しくは外部録音機器が接続されていることを判別したとき、前記モード選択手段が前記第２出力モードを選択し、前記スイッチ手段は前記音量調整手段からの音声信号出力を前記第１接続手段に供給する、ように制御する、
ことを特徴とする請求項１に記載のオーディオ装置。
【請求項３】
前記制御手段は、
前記録音指示手段による音声信号出力の指示がなく、前記状態判別手段が、前記第２接続手段に前記ヘッドホン若しくは外部録音機器が接続されていることを判別したときには、前記モード選択手段が前記第１出力モードを選択し、前記スイッチ手段は前記音量調整手段からの音声信号出力を前記第１接続手段に供給しない、ように制御する、
ことを特徴とする請求項２に記載のオーディオ装置。
【請求項４】
前記信号源は複数存在し、
前記音声信号出力手段は前記複数の信号源からの入力を選択的に切り換えて前記音声信号として出力する入力選択手段を備え、
前記オーディオ装置は前記入力の切換えを指示するための操作手段を備え、
前記制御手段は、
前記操作手段による前記入力の切換えの指示があったとき、前記モード選択手段が前記第１出力モードを選択している状態にあれば、前記入力選択手段が該指示に応じた切換えを行い、前記モード選択手段が前記第２出力モードを選択している状態にあれば、前記入力選択手段が該指示に応じた切換えを行わないように制御する、
ことを特徴とする請求項１〜３のいずれか１項に記載のオーディオ装置。
【請求項５】
前記信号源は複数存在し、
前記音声信号出力手段は前記複数の信号源からの入力を選択的に切り換えて前記音声信号として出力する入力選択手段を備え、
前記オーディオ装置は前記入力の切換えを指示するための操作手段を備え、
前記制御手段は、
前記モード選択手段が前記第２出力モードを選択しているときに該操作手段による切換え指示があったとき、さらに所定の確認操作が行われることを条件として、前記入力選択手段が該指示に従った入力の切換えを行う、ように制御する、
ことを特徴とする請求項１〜３のいずれか１項に記載のオーディオ装置。
【請求項６】
前記制御手段は、
前記入力の切換えを行うように制御する場合、前記モード選択手段が前記第１出力モードへの切換えを行うように制御するとともに、前記状態判別手段が前記第２接続手段に前記ヘッドホン若しくは外部録音機器が接続されていると判別したときには、前記スイッチ手段が前記音量調整手段からの音声信号出力を前記第１接続手段に供給しないように制御する、
ことを特徴とする請求項５に記載のオーディオ装置。
【請求項７】
所定の信号源から得られた音声信号を出力する音声信号出力手段と、
前記音声信号出力手段から出力された音声信号の音量を制御する音量調整手段と、
スピーカが接続される第１接続手段と、
ヘッドホン若しくは外部録音機器が接続される第２接続手段と、
前記音量調整手段からの音声信号出力を前記第１接続手段に供給し、又は切断するスイッチ手段と、
前記音声信号出力手段からの出力を前記音量調整手段を介して前記第２接続手段に供給する第１出力モードと、前記音声信号出力手段からの出力を前記音量調整手段を介さずに前記第２接続手段に供給する第２出力モードと、を選択的に切り換えるモード選択手段と、
前記第２接続手段に前記ヘッドホン若しくは外部録音機器が接続されていることを判別する状態判別手段と、
前記外部録音機器に録音するための音声信号出力を実行するよう指示する録音指示手段とを備えたオーディオ装置の制御方法であって、
制御手段が、前記録音指示手段で音声信号出力が指示されたとき、前記状態判別手段の判別結果に基づいて、前記モード選択手段が前記第２出力モードを選択し、前記スイッチ手段は前記音量調整手段からの音声信号出力を前記第１接続手段に供給する、ように制御する制御手順、
を備えることを特徴とするオーディオ装置の制御方法。
【発明の詳細な説明】
【技術分野】
【０００１】
本発明は、ヘッドホン用の出力端子を用いて外部機器により録音を行うのに適したオーディオ装置及びその制御方法に関する。
【背景技術】
【０００２】
従来、ヘッドホン端子は有するが記録用出力端子のないオーディオ装置における再生音や受信音を、外部の機器を用いて録音する場合、ヘッドホン端子を利用して録音している。
【０００３】
図６はこのような従来のオーディオ装置の構成を示すブロック図である。同図に示すように、この装置は、チューナ６１、ＣＤプレーヤ６２、ＭＤプレーヤ６３、及びカセットプレーヤ６４からの入力信号のうちいずれかを選択して記録用出力及び音声信号として出力する入力セレクタ６５、入力セレクタ６５からの記録用出力に基づき録音を行う録音機６６、セレクタ６５からの音声信号を増幅するアンプ６７、入力セレクタ６５及びアンプ６７間に介在するボリューム６８、アンプ６７の出力を音波に変換するスピーカ６９、アンプ６７及びスピーカ６９間に設けられたリレー７０、アンプ６７の出力を増幅するヘッドホンアンプ７１、ヘッドホンアンプ７１の出力側に接続されたヘッドホン端子７２、装置各部を制御する制御マイコン７４、制御マイコン７４に対する入力を行うための操作部７５、及び制御マイコン７４による処理結果等の表示を行う表示部７６を備える。
【０００４】
入力セレクタ６５はセレクタＩＣにより構成されている。操作部７５には入力セレクタキーが設けられており、入力セレクタキーの操作により入力セレクタ６５による入力信号の選択について指示を行うことができるようになっている。図中の７７はヘッドホン端子７２に対して差込み及び引抜きが可能な接続プラグである。接続プラグ７７はヘッドホン７８又は外部録音機器７９に接続されている。ヘッドホン端子７２には接続プラグ７７が差し込まれているか否かを示す信号を出力する手段が設けられている。
【０００５】
図７は接続プラグ７７がヘッドホン端子７２に差し込まれる場合の処理であるヘッドホン検出処理を示すフローチャートである。制御マイコン７４は、ステップ７１において、ヘッドホン端子７２に対する接続プラグ７７の差込みの有無を監視する。差込みを検出すると、ステップ７２において、リレー７０をオフ、すなわち切断状態として、ヘッドホン検出処理を終了する。これによれば、ユーザは接続プラグ７７をヘッドホン端子７２に差し込むだけで、音声信号の出力先をスピーカ６９からヘッドホンへ切り替えることができる。
【０００６】
図８は制御マイコン７４による入力セレクタ６５の切換え処理を示す。制御マイコン７４は、ステップ８１において、操作部７５における入力セレクタキーの操作の有無を監視する。操作を検出すると、ステップ８２において、チューナ又はプレーヤ６１〜６４からの入力信号のうち、入力セレクタキーの操作により指示されたものを選択して出力するように入力セレクタ６５を設定し、切換え処理を終了する。
【０００７】
このようにして、ユーザはチューナ又はプレーヤ６１〜６４のうち所望のものを選択してその受信音又は再生音をヘッドホン７８又はスピーカ６９を介して聴取することができる。また、かかる受信音又は再生音を、外部録音機器７９に接続された接続プラグ７７をヘッドホン７８からの接続プラグ７７に代えてヘッドホン端子７２に差し込むことによって、外部録音機器７９を用いて録音することができる。
【０００８】
しかしながら、これによれば、外部録音機器７９により録音を行う場合、ヘッドホン端子７７を利用するようにしているため、ヘッドホン７８の使用時と同様に、ユーザは録音中の音を、スピーカ６９を介して聴くことができず、現在何を録音しているのかを認識することができない。また、録音中の音がスピーカ６９から出ていないため、ユーザは所望の箇所で録音を停止させることもできない。音量を調整する目的でボリューム６８を操作すると、外部録音機器７９で録音中の音のレベルが変化してしまう。
【０００９】
これに対し、特許文献１には、ヘッドホンに接続されたプラグがヘッドホンジャックに挿入されているか否かを検出し、この検出結果に応じてスピーカ及びヘッドホンジャックへの音声信号の出力を任意に制御することができるようにしたオーディオ装置が記載されている。また特許文献２には、ヘッドホンのプラグがヘッドホンジャックに挿入されている状態で、ヘッドホンに設けたスイッチを操作することにより、ヘッドホン及びスピーカの駆動を制御することができるようにしたオーディオ装置が記載されている。これら特許文献１及び２の装置によれば、プラグがヘッドホンジャックに挿入された状態でも、スピーカによる放音を行うことができるようになっている。
【００１０】
【特許文献１】特開２００２−３７４５８６号公報
【特許文献２】実公平５−４６３９８号公報
【発明の開示】
【発明が解決しようとする課題】
【００１１】
しかしながら特許文献２の技術においても、ヘッドホンジャックを用い、外部録音機器により録音を行っているときに、スピーカの音量を調整すると、上記図６の従来技術の場合と同様に、録音中の音の音量も変化してしまう。
【００１２】
一方、特許文献１の技術によれば、スピーカの音量のみを独立して調整することができるようにも思われる。しかしこれによれば、ヘッドホン用とスピーカ用とに別々にボリュームを設ける必要がある。
【００１３】
また、上記図６の従来技術によれば、外部録音機器７９による録音中に誤って入力セレクタキーを操作すると、録音中のチューナ又はプレーヤ６１〜６４からの入力信号が切り換わってしまい、再度録音をやり直さなければならくなるという問題もある。
【００１４】
本発明の目的は、このような従来技術の問題点に鑑み、オーディオ装置において、ヘッドホン用の出力を用いて記録を行う際の利便性をより向上させることにある。
【課題を解決するための手段】
【００１５】
上記目的を達成するため、第１の発明に係るオーディオ装置は、所定の信号源から得られた音声信号を出力する音声信号出力手段と、前記音声信号出力手段から出力された音声信号の音量を制御する音量調整手段と、スピーカが接続される第１接続手段と、ヘッドホン若しくは外部録音機器が接続される第２接続手段と、前記音量調整手段からの音声信号出力を前記第１接続手段に供給し又は切断するスイッチ手段と、前記音声信号出力手段からの出力を前記音量調整手段を介して前記第２接続手段に供給する第１出力モード、及び前記音声信号出力手段からの出力を前記音量調整手段を介さずに前記第２接続手段に供給する第２出力モードを選択的に切り換えるモード選択手段と、前記第２接続手段に前記ヘッドホン若しくは外部録音機器が接続されていることを判別する状態判別手段と、前記外部録音機器に録音するための音声信号出力を実行するよう指示する録音指示手段と、前記録音指示手段で音声信号出力が指示されたとき、前記状態判別手段の判別結果に基づいて、前記モード選択手段が前記第２出力モードを選択し、前記スイッチ手段は前記音量調整手段からの音声信号出力を前記第１接続手段に供給する、ように制御する制御手段と、を備えることを特徴とする。
【００１６】
第２の発明に係るオーディオ装置は、第１発明において、前記制御手段は、前記状態判別手段が、前記第２接続手段に前記ヘッドホン若しくは外部録音機器が接続されていることを判別したとき、前記モード選択手段が前記第２出力モードを選択し、前記スイッチ手段は前記音量調整手段からの音声信号出力を前記第１接続手段に供給する、ように制御する、ことを特徴とする。
【００１７】
第３の発明に係るオーディオ装置は、第２発明において、前記制御手段は、前記録音指示手段による音声信号出力の指示がなく、前記状態判別手段が、前記第２接続手段に前記ヘッドホン若しくは外部録音機器が接続されていることを判別したときには、前記モード選択手段が前記第１出力モードを選択し、前記スイッチ手段は前記音量調整手段からの音声信号出力を前記第１接続手段に供給しない、ように制御する、ことを特徴とする。
【００１８】
第４の発明に係るオーディオ装置は、第１〜第３のいずれかの発明において、前記信号源は複数存在し、前記音声信号出力手段は前記複数の信号源からの入力を選択的に切り換えて前記音声信号として出力する入力選択手段を備え、前記オーディオ装置は前記入力の切換えを指示するための操作手段を備え、前記制御手段は、前記操作手段による前記入力の切換えの指示があったとき、前記モード選択手段が前記第１出力モードを選択している状態にあれば、前記入力選択手段が該指示に応じた切換えを行い、前記モード選択手段が前記第２出力モードを選択している状態にあれば、前記入力選択手段が該指示に応じた切換えを行わないように制御する、ことを特徴とする。
【００１９】
第５の発明に係るオーディオ装置は、第１〜第３のいずれかの発明において、前記信号源は複数存在し、前記音声信号出力手段は前記複数の信号源からの入力を選択的に切り換えて前記音声信号として出力する入力選択手段を備え、前記オーディオ装置は前記入力の切換えを指示するための操作手段を備え、前記制御手段は、前記モード選択手段が前記第２出力モードを選択しているときに該操作手段による切換え指示があったとき、さらに所定の確認操作が行われることを条件として、前記入力選択手段が該指示に従った入力の切換えを行う、ように制御する、ことを特徴とする。
【００２０】
第６の発明に係るオーディオ装置は、第５発明において、前記制御手段は、前記入力の切換えを行うように制御する場合、前記モード選択手段が前記第１出力モードへの切換えを行うように制御するとともに、前記状態判別手段が前記第２接続手段に前記ヘッドホン若しくは外部録音機器が接続されていると判別したときには、前記スイッチ手段が前記音量調整手段からの音声信号出力を前記第１接続手段に供給しないように制御する、ことを特徴とする。
【００２１】
第７の発明に係るオーディオ装置の制御方法は、所定の信号源から得られた音声信号を出力する音声信号出力手段と、前記音声信号出力手段から出力された音声信号の音量を制御する音量調整手段と、スピーカが接続される第１接続手段と、ヘッドホン若しくは外部録音機器が接続される第２接続手段と、前記音量調整手段からの音声信号出力を前記第１接続手段に供給し又は切断するスイッチ手段と、前記音声信号出力手段からの出力を前記音量調整手段を介して前記第２接続手段に供給する第１出力モード、及び前記音声信号出力手段からの出力を前記音量調整手段を介さずに前記第２接続手段に供給する第２出力モードを選択的に切り換えるモード選択手段と、前記第２接続手段に前記ヘッドホン若しくは外部録音機器が接続されていることを判別する状態判別手段と、前記外部録音機器に録音するための音声信号出力を実行するよう指示する録音指示手段とを備えたオーディオ装置の制御方法であって、制御手段が、前記録音指示手段で音声信号出力が指示されたとき、前記状態判別手段の判別結果に基づいて、前記モード選択手段が前記第２出力モードを選択し、前記スイッチ手段は前記音量調整手段からの音声信号出力を前記第１接続手段に供給する、ように制御する制御手順を備えることを特徴とする。
【発明の効果】
【００２２】
本発明によれば、オーディオ装置において、第２出力モードを設けたため、ヘッドホン用の出力端子（第２接続手段）からの出力を用いて記録を行う際の利便性をより向上させることができる。たとえば、第２出力モードを使用することにより、音量調整手段による音量調整の影響を受けることなく、一定音量の出力信号を出力端子から得ることができる。また、操作手段による入力の切換えを、第２出力モードでは不能とし、あるいは所定の確認操作が行われることを条件として許容することにより、録音中に誤操作によって入力が切り換わるのを防止することができる。
【発明を実施するための最良の形態】
【００２３】
図１は本発明の一実施形態に係るオーディオ装置の構成を示すブロック図である。同図に示すように、この装置は、チューナ１、ＣＤプレーヤ２、ＭＤプレーヤ３、及びカセットプレーヤ４からの入力信号のうちから１つを選択して記録用出力（ＲＥＣ  ＯＵＴ）及び音声信号として出力するセレクタＩＣ（以下、「入力セレクタ」という。）５、入力セレクタ５からの記録用出力に基づき録音を行う録音機６、入力セレクタ５からの音声信号を増幅するアンプ７、入力セレクタ５及びアンプ７間に介在するボリューム８、アンプ７の出力を音波に変換するスピーカ９、アンプ７及びスピーカ９間に設けられたリレー１０、アンプ７の出力又は記録用出力を増幅するヘッドホンアンプ１１、ヘッドホンアンプ１１の出力側に接続されたヘッドホン端子１２、及びヘッドホンアンプ１１への入力を記録用出力及びアンプ７の出力間で切り換えるセレクタＩＣ１３を備える。装置の筐体部分には、スピーカ９を装置に接続する手段として、端子２０が設けられている。スピーカ９はこの端子２０を介してリレー１０に接続される。
【００２４】
オーディオ装置はさらに、装置各部を制御する制御マイコン１４、制御マイコン１４に対してユーザが各種の操作入力を行うための操作部１５、及び制御マイコン１４による処理結果等の表示を行う表示部１６を備える。操作部１５には入力セレクタ５による入力信号の切換えを指示するための入力セレクタキー、並びに、記録用出力モードへの切換え及び該モードの解除を行うための記録用出力モードキー及びセットキーが設けられている。記録用出力モードキーの押下により記録用出力モードへの切換えを行うかを問い合わせる表示、たとえば「記録用出力オン？」の文字の表示が行われ、所定時間内にセットキーが押下されると、記録用出力モードに切り換わるようになっている。
【００２５】
記録用出力モードとは、ヘッドホン端子１２を介して外部録音機器１９による録音を行うのに適したモードである。セレクタＩＣ１３を制御することにより、記録用出力モードでは、入力セレクタ５からの記録用出力がヘッドホンアンプ１１に入力され、該モードが解除されている状態では、アンプ７の出力がヘッドホンアンプ１１に入力される。
【００２６】
図中の１７はヘッドホン端子１２に対して差し込むことが可能な接続プラグである。接続プラグ１７はヘッドホン１８又は外部録音機器１９に接続されている。ヘッドホン端子１２には、接続プラグ１７の差込みの有無を示す信号を制御マイコン１４に対して出力する機能が設けられている。
【００２７】
図２は記録用出力モードへの切換えを行うためのプログラムに従った処理を示すフローチャートである。この処理は記録用出力モードが解除されている状態において行われる。この処理では、制御マイコン１３は、まずステップ２１において、記録用出力モードキーの押下の有無を監視する。記録用出力モードキーの押下を検出すると、ステップ２２において、タイマによる経過時間の計測を開始するとともに、記録用出力モードへの切換えを確定するためのセットキーの押下を促すために「ＲＥＣ  ＯＵＴ  ＯＮ？」の表示を行う。
【００２８】
次にステップ２３及び２４において、前記タイマによる経過時間の計測値に基づき、所定時間内におけるセットキーの押下の有無を監視する。そしてセットキーの押下がないまま、ステップ２４において所定時間が経過したと判定した場合にはステップ２１へ戻る。この場合、「ＲＥＣ  ＯＵＴ  ＯＮ？」の表示は消去され、記録用出力モードが解除された状態が維持される。一方、所定時間の経過前にステップ２３においてセットキーの押下があったと判定した場合にはステップ２５へ進む。
【００２９】
ステップ２５では、セレクタＩＣ１３により、ヘッドホンアンプ１１への入力を、アンプ７の出力から記録用出力側に切り換えることにより、記録用出力モードへの切換えを行い、その旨の表示を行う。次に、ステップ２６において、ヘッドホン端子１２に対し接続プラグ１７が差し込まれているか否かを判定する。差し込まれていないと判定した場合にはそのままステップ２８へ進む。差し込まれていると判定した場合には、ステップ２７においてリレー１０をオン（接続状態）としてからステップ２８へ進む。ステップ２８では、入力セレクタキーが操作されても入力ソースの切換えが生じないように、入力セレクタ５をロックする。これにより、図２の処理を終了する。
【００３０】
これによれば、ユーザは、ヘッドホン出力モードにおいて記録用出力モードキーを押下し、所定時間内にセットキーを押下することにより、記録用出力モードへの切換えを行うことができる。その際、外部録音機器１９に接続された接続プラグ１７をヘッドホン端子１２に差し込んであればリレー１０がオンとなるので、記録用出力モードへの切換え後、直ちに記録用出力に基づく録音を、スピーカ９でモニタしながら行うことができる。録音中には、入力セレクタ５がロックされるので、入力セレクタキーを誤って操作しても、入力ソースが切り換わってしまうことはない。
【００３１】
図３は記録用出力モードを解除するためのプログラムに従った処理を示すフローチャートである。この処理は記録用出力モードにおいて行われる。処理を開始すると、制御マイコン１４はまずステップ３１において、記録用出力モードキーの押下の有無を監視する。記録用出力モードキーの押下を検出すると、ステップ３２において、記録用出力モードを解除し、その旨の表示を表示部１６において行う。解除は、ヘッドホンアンプ１１への入力を、記録用出力からアンプ７の出力に切り換えることによって行う。
【００３２】
次に、ステップ３３において、ヘッドホン端子１２に対し接続プラグ１７が挿入されているか否かを判定する。挿入されていないと判定した場合にはそのままステップ３５へ進む。挿入されていると判定した場合には、ステップ３４においてリレー１０をオフとしてからステップ３５へ進む。ステップ３５では、入力セレクタ５のロックを解除する。これにより図３の処理が終了する。
【００３３】
これによれば、ユーザは記録用出力モードキーを押下するだけで、ヘッドホン端子１２に対して接続プラグ１７が差し込まれているか否かに応じ、スピーカ９からの出力をオフ状態に移行させ又はオン状態を維持しながら、記録用出力モードを解除することができる。また同時に、入力セレクタのロックを解除することができる。
【００３４】
図４は記録用出力モードにおいて入力セレクタキーが操作された場合のプログラムに従った処理を示すフローチャートである。処理を開始すると、制御マイコン１４はまずステップ４１において、チューナ又はプレーヤ１〜４のうち現在入力ソースとして用いているもの以外の機器からの入力を選択する入力セレクタキーの操作、すなわちその機器についてのプレイキーの押下の有無を監視する。
【００３５】
そのようなキーの押下を検出すると、ステップ４２において、現在は記録用出力モードである旨のメッセージ、たとえば「ＲＥＣ  ＯＵＴ  ＭＯＤＥ」の表示を行うとともに、ＬＥＤの点滅及びタイマによる所定時間の計測を開始する。そして、ステップ４３において所定時間、たとえば３秒が経過するのを待機する。所定時間が経過すると、ステップ４４において該メッセージの表示及びＬＥＤの点滅を解除し、図４の処理を終了する。
【００３６】
これによれば、記録用出力モードにある場合に誤って入力セレクタキーを操作したとしても、記録用出力に基づいて進行中の録音を無駄にするのを防止することができる。また、メッセージの表示及びＬＥＤの点滅により、ユーザは記録用出力モードであるために入力ソースの切換えを行うことができないことを認識することができる。
【００３７】
図９は上述の図２及び図３の処理に従い装置の状態が遷移する様子を示す。９１〜９４は装置の各状態を示している。各状態９１〜９４において、「記録用出力モード：オン」は記録用出力モードの状態にあることを意味し、「記録用出力モード：オフ」は同モードが解除された状態にあることを意味する。「リレー：オン」はリレー１０が接続状態であることを意味し、「リレー：オフ」はリレー１０が切断状態であることを意味する。「プラグ差込み：無し」はヘッドホン端子１２に対して接続プラグ１７が差し込まれていない状態を意味しており、「プラグ差込み：有り」は差し込まれている状態を意味している。「セレクタのロック：オン」は入力セレクタ５がロックされていることを意味し、「セレクタのロック：オフ」はロックが解除されていることを意味する。すなわち、状態９１〜９４においては、「記録用出力モード」、「リレー」、「プラグ差込み」、「セレクタのロック」の状態がこの順でそれぞれ、状態９１では「オフ」、「オン」、「無し」、「オフ」、状態９２では「オフ」、「オフ」、「有り」、「オフ」、状態９３では「オン」、「オン」、「無し」、「オン」、状態９４では「オン」、「オン」、「有り」、「オン」となっている。
【００３８】
状態９１又は９２は、装置の電源が投入されたときの最初の状態である。電源投入時に接続プラグ１７がヘッドホン端子１２に差し込まれていない場合には状態９１、差し込まれている場合には状態９２となる。状態９１及び９２において記録用出力キーの押下及び所定時間内のセットキーの押下があった場合、図２の処理に従い、それぞれ状態９３及び９４となる。状態９３及び９４において記録用出力キーの押下があった場合、図３の処理に従い、それぞれ状態９１及び９２となる。
【００３９】
状態９１において接続プラグ１７がヘッドホン端子１２に差し込まれた場合には状態９２となる。状態９２において接続プラグ１７がヘッドホン端子１２から引き抜かれた場合には状態９１となる。状態９３において接続プラグ１７がヘッドホン端子１２に差し込まれた場合には状態９４となる。状態９４において接続プラグ１７がヘッドホン端子１２から引き抜かれた場合には状態９３となる。なお、状態９３及び９４において装置の電源が切断された場合、記録用出力モードが解除され、９１又は９２の状態に遷移する。これにより、次に電源が投入されたとき、状態９１又は９２となることができる。
【００４０】
図５は記録用出力モードにおいて入力セレクタキーが操作された場合の図４の処理に代わる別の実施形態に係る処理を示すフローチャートである。この形態では、図４の場合とは異なり、入力セレクタキーが所定時間内に２度押下されると、記録用出力モードを解除し、入力セレクタ５を動作させるようにしている。
【００４１】
すなわち、記録用出力モードにおいて図５の処理を開始すると、制御マイコン１４はまずステップ５１において、入力セレクタキーの押下、すなわちチューナ又はプレーヤ１〜４のうちのいずれかについてのプレイキーの押下の有無を監視する。この押下を検出すると、ステップ５２において、現在記録用出力モードにあることを示すメッセージを表示し、ＬＥＤの点滅を開始するとともに、タイマによる経過時間の計測を開始する。
【００４２】
次に、ステップ５３及び５４において所定時間の経過及び入力セレクタキーの押下の有無を監視する。ステップ５３において、入力セレクタキーが押下されることなく所定時間が経過したことを検出すると、ステップ５１に戻る。一方、ステップ５４において、所定時間の経過前に入力セレクタキーの押下を検出すると、ステップ５５に進む。
【００４３】
ステップ５５に進むと、ステップ５２において開始したメッセージの表示及びＬＥＤの点滅を解除する。次に、ステップ５６において、セレクタＩＣ１３により、ヘッドホンアンプ１１への入力を、記録用出力からアンプ７の出力に切り換える。次に、ステップ５７において、入力セレクタ５により、今までソース機器として選択していたチューナ又はプレーヤ１〜４から、ステップ５４で押下を検出したプレイキーに対応するチューナ又はプレーヤ１〜４に切り換える。
【００４４】
次に、ステップ５８において、ヘッドホン端子１２に接続プラグ１７が差し込まれているか否かを判定する。差し込まれていないと判定した場合にはそのまま図５の処理を終了する。差し込まれていると判定した場合には、ステップ５９においてリレー１０をオフ状態としてから図５の処理を終了する。
【００４５】
この処理によれば、図９に示す状態９３又は９４から状態９１又は９２への遷移が行われることになる。これによれば、記録用出力モードにおいても、ユーザはソース機器の切換えを行うことができる。その際、ユーザはメッセージの表示やＬＥＤの点滅により、記録用出力モードであることを認識したうえで、切換えを行うので、意図しない切換えを行ってしまう恐れは少ない。
【００４６】
なお、本発明は上述の各実施形態に限定されることなく適宜変形して実施することができる。たとえば、上述においては装置がとり得る状態として、図９に示す状態９１〜９４を示したが、これらに限らず、別の状態に遷移できるようにしてもよい。たとえば、リレー１０をオン・オフできる操作子を設け、状態９２からリレー１０のみをオンとした状態に遷移できるようにして、ヘッドホン１８を使用しながら、スピーカ９による出力を行うことができるようにしてもよい。
【図面の簡単な説明】
【００４７】
【図１】本発明の一実施形態に係るオーディオ装置の構成を示すブロック図である。
【図２】図１の装置において、記録用出力モードへの切換えを行うためのプログラムに従った処理を示すフローチャートである。
【図３】図１の装置において、記録用出力モードを解除するためのプログラムに従った処理を示すフローチャートである。
【図４】図１の装置において、記録用出力モードにおいて入力セレクタキーが操作された場合のプログラムに従った処理を示すフローチャートである。
【図５】記録用出力モードにおいて入力セレクタキーが操作された場合の図４の処理に代わる別の実施形態に係る処理を示すフローチャートである。
【図６】従来のオーディオ装置の構成を示すブロック図である。
【図７】図６の装置において、接続プラグがヘッドホン端子に差し込まれる場合の処理であるヘッドホン検出処理を示すフローチャートである。
【図８】図６の装置における制御マイコンによる入力セレクタの切換え処理を示すフローチャートである。
【図９】図２及び図３の処理に従い装置の状態が遷移する様子を示す図である。
【符号の説明】
【００４８】
１，６１：チューナ、２，６２：ＣＤプレーヤ、３，６３：ＭＤプレーヤ、４，６４：カセットプレーヤ、５，６５：入力セレクタ、６，６６：録音機、７，６７：アンプ、８，６８：ボリューム、９，６９：スピーカ、１０，７０：リレー、１１，７１：ヘッドホンアンプ、１２，７２：出力端子、１３：セレクタＩＣ、１４，７４：制御マイコン、１５，７５：操作部、１６，７６：表示部、１７，７７：接続プラグ、１８，７８：ヘッドホン、１９，７９：外部録音機器、２０：端子、９１〜９４：状態。
【図１】
2007052819.tif 000003
【図２】
2007052819.tif 000004
【図３】
2007052819.tif 000005
【図４】
2007052819.tif 000006
【図５】
2007052819.tif 000007
【図６】
2007052819.tif 000008
【図７】
2007052819.tif 000009
【図８】
2007052819.tif 000010
【図９】
2007052819.tif 000011